(57)【要約】  【課題】  従来とは異なった雰囲気の撮影ボックスにて撮影を行なえる写真撮影装置を提供する。  【解決手段】  本発明に係る写真撮影装置１は、正面、側面及び内部に各種機器が設けられた筐体２、バックユニット３及びサイドカーテン４を備えており、それらで囲まれた空間が撮影領域を形成する撮影空間（撮影ボックス）８として機能する。筐体２の前方から撮影空間８への出入口（４１）までの内壁に被写体及び撮影空間を照明させる照明部を備えることによって、筐体全体が１つの照明部として機能する。このため、「光に囲まれた空間（部屋）で撮影する」という、従来と全く異なった印象（イメージ）を利用者に与えることができる。また、出入口（４１）の位置をカメラが配置された位置から遠ざけることで、外光が出入口から入光した場合であっても、外光のカメラへの影響を抑制することができる。【選択図】        図３
2006201623.tif 000002
【特許請求の範囲】
【請求項１】
撮影領域を形成する撮影ボックスの前方から該撮影ボックスの内側の被写体を撮影する撮影手段と、前記撮影ボックスの前方から被写体を照明する前方照明手段と、前記撮影手段により撮影した被写体の画像に対して編集処理を行なう編集手段とを備え、編集処理された画像を出力する写真撮影装置において、
前記前方照明手段を囲うように前記撮影ボックスの両側面に配置され、前記被写体を側方から照明する一又は複数の側方照明手段を備えること
を特徴とする写真撮影装置。
【請求項２】
撮影領域を形成する撮影ボックスの前方から該撮影ボックスの内側の被写体を撮影する撮影手段と、前記撮影ボックスの前方から被写体を照明する前方照明手段と、前記撮影手段により撮影した被写体の画像に対して編集処理を行なう編集手段とを備え、編集処理された画像を出力する写真撮影装置において、
前記撮影ボックスの側部後方に、前記被写体が前記撮影ボックスに出入するための出入口を備えること
を特徴とする写真撮影装置。
【請求項３】
撮影領域を形成する撮影ボックスの前方から該撮影ボックスの内側の被写体を撮影する撮影手段と、前記撮影ボックスの前方から被写体を照明する前方照明手段と、前記撮影手段により撮影した被写体の画像に対して編集処理を行なう編集手段とを備え、編集処理された画像を出力する写真撮影装置において、
前記前方照明手段を囲うように前記撮影ボックスの両側面に配置され、前記被写体を側方から照明する一又は複数の側方照明手段と、
前記撮影ボックスの側部後方に、前記被写体が前記撮影ボックスに出入するための出入口と
を備えることを特徴とする写真撮影装置。
【請求項４】
前記前方照明手段と前記側方照明手段とが隣り合って配置されていること
を特徴とする請求項１又は請求項３に記載の写真撮影装置。
【請求項５】
前記側方照明手段が、前記撮影ボックスの前方からの距離に応じた角度で前記被写体を照明するようにしてあること
を特徴とする請求項１、請求項３又は請求項４に記載の写真撮影装置。
【請求項６】
前記前方照明手段が、複数の角度から前記被写体を照明するようにしてあること
を特徴とする請求項１乃至請求項５のいずれかに記載の写真撮影装置。
【請求項７】
撮影領域を形成する撮影ボックスの前方から該撮影ボックスの内側の被写体を撮影する撮影手段と、前記撮影手段により撮影した被写体の画像に対して編集処理を行なう編集手段とを備え、編集処理された画像を出力する写真撮影装置において、
前記撮影ボックスの側部後方に、前記被写体が前記撮影ボックスに出入するための出入口と、
前記撮影ボックスの前方から前記出入口までを覆うように配置された照明手段と
を備えることを特徴とする写真撮影装置。
【請求項８】
前記出入口の所定領域を遮蔽するカーテンを備え、
該カーテンは、底面からの高さに応じてカーテン幅が設定され、前記出入口を通じて前記撮影ボックスの外側が前記撮影手段にて撮影されないとともに、前記出入口の前記所定領域でない領域を通じて前記撮影ボックスの内側の様子が外側からわかるようにしてあること
を特徴とする請求項２、請求項３又は請求項７に記載の写真撮影装置。
【請求項９】
前記撮影ボックスの外側に、対価を受領する対価受領手段を備えること
を特徴とする請求項８に記載の写真撮影装置。
【請求項１０】
前記対価受領手段により受領した対価を蓄蔵する対価蓄蔵部を備え、
該対価蓄蔵部に蓄蔵した対価を前記撮影ボックスの外側から取り出せるようにしてあること
を特徴とする請求項９に記載の写真撮影装置。
【請求項１１】
前記撮影手段により撮影した被写体の画像をリアルタイムに表示するとともに、各種の撮影操作を受け付けるタッチパネル型の表示手段を備えること
を特徴とする請求項１乃至請求項１０のいずれかに記載の写真撮影装置。
【請求項１２】
前記撮影ボックスの後方を照明する後方照明手段を備えること
を特徴とする請求項１乃至請求項１１のいずれかに記載の写真撮影装置。
【請求項１３】
前記撮影ボックスの状態を報知する報知手段を備えること
を特徴とする請求項１乃至請求項１２のいずれかに記載の写真撮影装置。
【発明の詳細な説明】
【技術分野】
【０００１】
本発明は、デジタルカメラ（以下、カメラ）のような撮影手段で撮影した画像に編集処理を行なって、編集処理された画像を出力する写真撮影装置に関する。
【背景技術】
【０００２】
近年、ゲームセンターなどの遊戯を提供する店舗において、写真を撮影してシール状の印刷媒体に出力する写真撮影装置が数多く設置されている。このような写真撮影装置には、一般に、利用者である被写体を写真撮影装置に付属のカメラで撮影して得られた撮影画像を、タブレットディスプレイなどに表示して付属のタッチペンで文字や図形などを入力する、いわゆる「お絵描き」，「落書き」と呼ばれる編集機能を有するものが一般的になっている。そして、このような編集入力された画像は撮影画像と合成され、その合成画像がプリンタで印刷されて利用者に提供される。
【０００３】
このような写真撮影装置は、撮影時に被写体を美しく撮影するために、被写体を照明する照明装置が備えられ、様々な工夫がなされている。例えば、撮影手段を備えた正面の一部から斜め上方に向かって被写体を照明し、撮影手段で撮影して撮影画像を作成する撮影処理を許容し、編集対象の画像に対して編集手段で編集して編集画像を作成する編集処理を許容し、所定の画像を出力手段で出力する写真撮影装置が提案されている（例えば、特許文献１）。
【０００４】
図１７は従来の写真撮影装置の全体構成を示す上断面図である。
従来の写真撮影装置１００は、２つの筐体（主筐体１１０、副筐体１２０）を備え、主筐体１１０と副筐体１２０とが天板によって連結されている。また、サイドカーテン１４０が天板から吊設されており、主筐体１１０、副筐体１２０、天板及びサイドカーテン１４０で囲まれた空間が撮影空間１５０を形成する。サイドカーテン１４０が設けられた位置が、被写体が撮影空間１５０に出入するための出入口であり、被写体１６０である利用者は、サイドカーテン１４０を開けて撮影空間１５０に入って撮影操作を行なう。従来のサイドカーテン１４０は、装置側面の中央付近に設けられており、外光の進入を防止したり、利用者のプライバシーを確保する。
【０００５】
主筐体１１０は、被写体を前方から照明する照明部１１１、被写体を斜め前方から照明する照明部１１２ａ，１１２ｂを備える。また、照明部１１１の略中央には、撮影窓が設けられており、この撮影窓から被写体を撮影するカメラ１１３が被写体と対向する向きに設けられている。さらに、主筐体１１０には、カメラ１１３にて撮影された画像をリアルタイムで表示するライブモニタ１１４、デモンストレーション画面及び撮影の操作手順などを表示するとともに、各種の入力を利用者から受け付けるタッチパネルディスプレイ１１５、撮影の対価であるコインを投入するためのコイン投入口１１６及びコイン排出口１１７などが設けられている。コイン投入口１１６に投入された対価を蓄蔵する金庫は主筐体１１０の内側に設けられており、撮影空間１５０の内側に設けた図示しないメンテナンスドアを開けることによって、金庫に蓄蔵された対価が取り出せるようになっている。
【０００６】
一方、副筐体１２０は、被写体を斜め後方から照明する照明部１２１ａ，１２１ｂ，１２１ｃと、撮影時の背景となる背景カーテン１２２とを備える。被写体を後方から照明することによって、被写体の髪の毛を美しく艶やかに撮影することができる。
【特許文献１】特開２００３−２０７８４１号公報
【発明の開示】
【発明が解決しようとする課題】
【０００７】
しかしながら、従来の写真撮影装置１００は、照明部１１２ａ，１１２ｂ，１２１ａ，１２１ｂ，１２１ｃに設けられたフラッシュが撮影時に閃光することによって美しい写り具合を実現できるが、各照明部は、撮影空間内を明るく照らすためのものではなく、撮影空間１５０の側面の大部分が発光面になっているものではない。したがって、撮影空間１５０が暗くなりがちで、明るい雰囲気の照明環境を作り出すことができないという問題があった。
【０００８】
また、撮影空間１５０への出入口が、撮影空間の中央付近、又は側部前方、すなわちカメラ１１３の設置側に設けられているため、サイドカーテン１４０が閉められなかった場合に、撮影空間１５０の外側の光（外光）が出入口を通じてカメラ１１３に入光して撮影画像に悪影響を及ぼす虞があった。また、被写体である利用者がサイドカーテン１４０を完全に閉めていた場合、撮影空間１５０の状態がわからないため、第３者（順番待ちしている使用予定者，通行人など）が、サイドカーテン１４０を開けたり、覗いたりする虞があるので、この点でも撮影画像への悪影響を増長させることになっている。
【０００９】
一方、撮影空間１５０が密室状態になることにより、撮影空間内の状態がわからず、撮影空間の内側（例えば、主筐体１１０）に設けた金庫が盗難されやすくなるという問題があった。さらに、正規のプレイを行なわない人間が撮影空間内に入って写真撮影装置を占拠し、本来の顧客がプレイできずに顧客回転率が低下するという問題があった。
【００１０】
本発明は斯かる事情に鑑みてなされたものであり、撮影領域を形成する撮影ボックスの前方から被写体を照明する前方照明手段に加えて、前方照明手段を囲うように撮影ボックスの両側面に側方照明手段を配置する構成とすることにより、側方からの照度を高めて、暗くなりがちな従来の撮影ボックスを明るい空間に改善し、従来とは異なった雰囲気の撮影ボックスとすることができる写真撮影装置の提供を目的とする。
【００１１】
また本発明は、撮影領域を形成する撮影ボックスの前方に撮影手段を、撮影ボックスの側部後方に被写体が撮影ボックスに出入するための出入口を備える構成とすることにより、出入口の位置を撮影手段が配置された位置から遠ざけ、外光が出入口から入光した場合であっても、外光の影響を抑制することができる写真撮影装置の提供を目的とする。
【００１２】
また本発明は、撮影領域を形成する撮影ボックスの前方から被写体を照明する前方照明手段に加えて、前方照明手段を囲うように撮影ボックスの両側面に側方照明手段を配置するとともに、撮影ボックスの前方に撮影手段を、撮影ボックスの側部後方に撮影ボックスへの出入口を備える構成とすることにより、側方からの照度を高めて、暗くなりがちな従来の撮影ボックスを明るい空間に改善するとともに、出入口の位置を撮影手段が配置された位置から遠ざけ、外光が出入口から入光した場合であっても、外光の影響を抑制することができる写真撮影装置の提供を目的とする。
【００１３】
また本発明は、被写体を前方から照明する前方照明手段と被写体を側方から照明する側方照明手段とを隣り合って配置されている構成とすることにより、被写体の前方から側方に渡って一体となって被写体を照明することができ、従来と異なった印象を利用者に与えることができる写真撮影装置の提供を目的とする。
【００１４】
また本発明は、撮影ボックスの前方からの距離に応じた角度で被写体を側方から照明する構成とすることにより、その角度に応じた様々な印象を被写体に与えることができる写真撮影装置の提供を目的とする。
【００１５】
また本発明は、複数の角度から前記被写体を前方から照明する構成とすることにより、被写体に影が生じないようにすることができ、人物を撮影する場合には、シワなどを目立ちにくくすることができる写真撮影装置の提供を目的とする。
【００１６】
また本発明は、撮影領域を形成する撮影ボックスの前方に撮影手段を、撮影ボックスの側部後方に撮影ボックスへの出入口を備え、撮影ボックスの前方から出入口までを覆うように照明手段を配置する構成とすることにより、光に囲まれた空間で撮影するという、従来と全く異なった印象を利用者に与えることができる写真撮影装置の提供を目的とする。
【００１７】
また本発明は、底面からの高さに応じてその幅が設定されたカーテンで、撮影ボックスへの出入口の所定領域を遮蔽する構成とすることにより、出入口を通じて撮影ボックスの外側が撮影されないとともに、出入口の所定領域でない領域を通じて撮影ボックスの内側の様子が外側からわかるようにして、防犯性に優れる写真撮影装置の提供を目的とする。
【００１８】
また本発明は、撮影ボックスの外側にて対価を受領する構成とすることにより、従来のように撮影ボックスの内側に対価受領手段を設ける必要がなくなり、その箇所をも被写体を照明する照明手段を配置することができ、さらに明るい印象の撮影ボックスとすることができる写真撮影装置の提供を目的とする。
【００１９】
また本発明は、受領した対価を蓄蔵する対価蓄蔵部を撮影ボックスの外側からの着脱が可能なようにして設ける構成とすることにより、窃盗者が、利用者を装って撮影ボックスに入り、対価蓄蔵部を盗難することを防止することができ、また、装置管理者が撮影ボックスに入室することなく、つまり撮影中の利用者に関係なく、対価蓄蔵部を取り出すことができる写真撮影装置の提供を目的とする。
【００２０】
また本発明は、撮影した被写体の画像をリアルタイムに表示するとともに、各種の撮影操作を受け付けるタッチパネル型の表示手段を備える構成とすることにより、照明手段を配置する領域をさらに広くして、さらに明るい印象の撮影ボックスとすることができる写真撮影装置の提供を目的とする。
【００２１】
また本発明は、撮影ボックスの後方を照明する構成とすることにより、被写体の後方に生じる各照明による被写体の影を消し去って、被写体の影が撮影されることを防止することができる写真撮影装置の提供を目的とする。
【００２２】
また本発明は、撮影ボックスの状態を報知する構成とすることにより、撮影ボックスの利用状況、つまり撮影ボックスが使用されていることが外から容易に認識できる写真撮影装置の提供を目的とする。
【課題を解決するための手段】
【００２３】
本発明に係る写真撮影装置は、撮影領域を形成する撮影ボックスの前方から該撮影ボックスの内側の被写体を撮影する撮影手段と、前記撮影ボックスの前方から被写体を照明する前方照明手段と、前記撮影手段により撮影した被写体の画像に対して編集処理を行なう編集手段とを備え、編集処理された画像を出力する写真撮影装置において、前記前方照明手段を囲うように前記撮影ボックスの両側面に配置され、前記被写体を側方から照明する一又は複数の側方照明手段とを備えることを特徴とする。
【００２４】
本発明にあっては、側方照明手段によって被写体を側方から照明することによって、側方からの照度を高めることができるとともに、暗くなりがちの従来の撮影ボックスを明るい照明環境に改善することができる。また、利用者が撮影を行なう場合、利用者の前方及び側方から照明されるので、前方から照明されている場合とは異なった雰囲気の撮影ボックスとすることができる。
【００２５】
本発明に係る写真撮影装置は、撮影領域を形成する撮影ボックスの前方から該撮影ボックスの内側の被写体を撮影する撮影手段と、前記撮影ボックスの前方から被写体を照明する前方照明手段と、前記撮影手段により撮影した被写体の画像に対して編集処理を行なう編集手段とを備え、編集処理された画像を出力する写真撮影装置において、前記撮影ボックスの側部後方に、前記被写体が前記撮影ボックスに出入するための出入口を備えることを特徴とする。
【００２６】
本発明にあっては、撮影ボックスの内側の被写体を撮影する撮影手段を撮影ボックスの前方に配置した場合に、撮影ボックスの側部後方を被写体が撮影ボックスに出入するための出入口とする。出入口の位置を撮影手段が配置された位置から遠ざけることで、外光が出入口から入光した場合であっても、撮影手段によって撮影された画像への外光の影響を抑制することができる。
【００２７】
本発明に係る写真撮影装置は、撮影領域を形成する撮影ボックスの前方から該撮影ボックスの内側の被写体を撮影する撮影手段と、前記撮影ボックスの前方から被写体を照明する前方照明手段と、前記撮影手段により撮影した被写体の画像に対して編集処理を行なう編集手段とを備え、編集処理された画像を出力する写真撮影装置において、前記前方照明手段を囲うように前記撮影ボックスの両側面に配置され、前記被写体を側方から照明する一又は複数の側方照明手段と、前記撮影ボックスの側部後方に、前記被写体が前記撮影ボックスに出入するための出入口とを備えることを特徴とする。
【００２８】
本発明にあっては、撮影ボックスの内側の被写体を撮影する撮影手段を撮影ボックスの前方に配置した場合に、側方照明手段によって被写体を側方から照明する。これにより、側方からの照度を高めて、暗くなりがちの従来の撮影ボックスを明るい空間に改善することができる。また、撮影ボックスの側部後方を被写体が出入するための出入口とすることによって、外光が出入口から入光した場合であっても、出入口の位置を撮影手段が配置された位置から遠ざけることで、撮影手段によって撮影された画像への外光の影響を抑制することができる。
【００２９】
本発明に係る写真撮影装置は、前記前方照明手段と前記側方照明手段とが隣り合って配置されていることを特徴とする。
【００３０】
本発明にあっては、前方照明手段と側方照明手段とが隣り合って配置されていることにより、前方照明手段と側方照明手段との間隙である非発光面積を小さくして、さらに明るい印象の撮影ボックスとすることができる。つまり、被写体の前方から側方に渡って一体となって被写体を照明して、従来と異なった印象を利用者に与えることができる。
【００３１】
本発明に係る写真撮影装置は、前記側方照明手段が、前記撮影ボックスの前方からの距離に応じた角度で前記被写体を照明するようにしてあることを特徴とする。
【００３２】
本発明にあっては、撮影ボックスの前方からの距離に応じた角度で被写体を側方から照明することで、その角度に応じた様々な印象を被写体に与えることができる。例えば、出射方向が常に被写体の中心となるように、照明手段を周形状にすることで、被写体に光に包まれたような印象を与えることができる。
【００３３】
本発明に係る写真撮影装置は、前記前方照明手段が、複数の角度から前記被写体を照明するようにしてあることを特徴とする。
【００３４】
本発明にあっては、複数の角度から被写体を前方から照明することで、被写体に影が生じないようにすることができ、人物を撮影する場合には、シワなどを目立ちにくくする効果が期待される。
【００３５】
本発明に係る写真撮影装置は、撮影領域を形成する撮影ボックスの前方から該撮影ボックスの内側の被写体を撮影する撮影手段と、前記撮影手段により撮影した被写体の画像に対して編集処理を行なう編集手段とを備え、編集処理された画像を出力する写真撮影装置において、前記撮影ボックスの側部後方に、前記被写体が前記撮影ボックスに出入するための出入口と、前記撮影ボックスの前方から前記出入口までを覆うように配置された照明手段とを備えることを特徴とする。
【００３６】
本発明にあっては、撮影ボックスの内側の被写体を撮影する撮影手段を撮影ボックスの前方に配置した場合に、撮影ボックスの側部後方を撮影ボックスへの出入口とするとともに、撮影ボックスの前方から出入口までを覆うように照明手段を配置する。これにより、光に囲まれた空間で撮影するという、従来と全く異なった印象（イメージ）を利用者に与えることができる。
【００３７】
本発明に係る写真撮影装置は、前記出入口の所定領域を遮蔽するカーテンを備え、該カーテンは、底面からの高さに応じてカーテン幅が設定され、前記出入口を通じて前記撮影ボックスの外側が前記撮影手段にて撮影されないとともに、前記出入口の前記所定領域でない領域を通じて前記撮影ボックスの内側の様子が外側からわかるようにしてあることを特徴とする。
【００３８】
本発明にあっては、底面からの高さに応じてその幅が設定されたカーテンで、撮影ボックスへの出入口の所定領域を遮蔽する。これにより、出入口を通じて撮影ボックスの外側が撮影手段にて撮影されないので、出入口付近にいる人物の脚などが撮影される虞は全くない。また、外光が直接的に撮影手段に入光することがなく、外光の撮影画像への影響を少なくすることができる。さらに、所定領域でない領域を通じて撮影ボックスの内側の様子が外側からわかるので防犯性に優れる。
【００３９】
本発明に係る写真撮影装置は、前記撮影ボックスの外側に、対価を受領する対価受領手段を備えることを特徴とする。
【００４０】
本発明にあっては、対価を受領する対価受領手段を撮影ボックスの外側に設ける。これにより、従来のように、撮影ボックス内に対価受領手段を設ける必要がなくなり、その箇所をも被写体を照明する照明手段を配置することができ、さらに明るい印象の撮影ボックスとすることができる。
【００４１】
本発明に係る写真撮影装置は、前記対価受領手段により受領した対価を蓄蔵する対価蓄蔵部を備え、該対価蓄蔵部に蓄蔵した対価を前記撮影ボックスの外側から取り出せるようにしてあることを特徴とする。
【００４２】
本発明にあっては、対価受領手段により受領した対価を蓄蔵する対価蓄蔵部を、撮影ボックスの外側からの着脱が可能なようにして、対価蓄蔵部に蓄蔵した対価を撮影ボックスの外側から取り出せるようにする。これにより、対価は、撮影ボックスの外側から取り出せないので、従来のように、窃盗者が利用者を装って撮影ボックスに入り、対価蓄蔵部を盗難することを防止することができる。また、装置管理者は、撮影ボックスに入室することなく、つまり撮影中の利用者に関係なく、対価を取り出すことができて効率的である。
【００４３】
本発明に係る写真撮影装置は、前記撮影手段により撮影した被写体の画像をリアルタイムに表示するとともに、各種の撮影操作を受け付けるタッチパネル型の表示手段を備えることを特徴とする。
【００４４】
本発明にあっては、撮影手段により撮影した被写体の画像をリアルタイムに表示するとともに、各種の撮影操作を受け付けるタッチパネル型の表示手段を備えることにより、照明手段を配置する領域をさらに広くして、さらに明るい印象の撮影ボックスとすることができる。
【００４５】
本発明に係る写真撮影装置は、前記撮影ボックスの後方を照明する後方照明手段を備えることを特徴とする。
【００４６】
本発明にあっては、後方照明手段が、撮影ボックスの後方、すなわち被写体より後方を照明する。これにより、前方照明手段及び側方照明手段によって被写体の後方に生じた陰影を消し去って、撮影手段に被写体の影が撮影されることを防止できる。例えば、被写体の後方に背景カーテンが配置されている場合、背景カーテンに投影されることを防止する。背景カーテンは、クロマキー合成に利用されることがあるため、被写体の影によって色合いが変化して合成に不具合が生じることを防止できる。
【００４７】
本発明に係る写真撮影装置は、前記撮影ボックスの状態を報知する報知手段を備えることを特徴とする。
【００４８】
本発明にあっては、撮影ボックスの状態を報知する報知手段を備えることにより、撮影ボックスの利用状況、つまり撮影ボックスが使用されていることが外から容易に認識できる。特に、撮影ボックスの外側に対価を受領する対価受領手段を設けた場合、撮影ボックスが利用されているにもかかわらず、次の利用者が誤って対価を投入して、撮影の権利が誰に帰属するものであるかについてトラブルになることはない。
【発明の効果】
【００４９】
本発明によれば、撮影領域を形成する撮影ボックスの前方から被写体を照明する前方照明手段に加えて、前方照明手段を囲うように撮影ボックスの両側面に側方照明手段を配置する構成としたので、側方からの照度を高めることができるとともに、暗くなりがちの従来の撮影ボックスを明るい照明環境に改善して、従来とは異なった雰囲気の撮影ボックスとすることができる。
【００５０】
本発明によれば、撮影領域を形成する撮影ボックスの前方に撮影手段を、撮影ボックスの側部後方に被写体が撮影ボックスに出入するための出入口を備える構成としたので、出入口の位置を撮影手段が配置された位置から遠ざけることで、外光が出入口から入光した場合であっても、撮影手段によって撮影された画像への外光の影響を抑制することができる。
【００５１】
本発明によれば、撮影領域を形成する撮影ボックスの前方から被写体を照明する前方照明手段に加えて、前方照明手段を囲うように撮影ボックスの両側面に側方照明手段を配置するとともに、撮影ボックスの前方に撮影手段を、撮影ボックスの側部後方に撮影ボックスへの出入口を備える構成としたので、側方からの照度を高めて、暗くなりがちな従来の撮影ボックスを明るい空間に改善するとともに、出入口の位置を撮影手段が配置された位置から遠ざけ、外光が出入口から入光した場合であっても、外光の影響を抑制することができる。
【００５２】
本発明によれば、被写体を前方から照明する前方照明手段と被写体を側方から照明する側方照明手段とを隣り合って配置されている構成としたので、前方照明手段と側方照明手段との間隙である非発光面積を小さくして、さらに明るい印象の撮影ボックスとすることができる。つまり、被写体の前方から側方に渡って一体となって被写体を照明することができ、従来と異なった印象を利用者に与えることができる。
【００５３】
本発明によれば、撮影ボックスの前方からの距離に応じた角度で被写体を側方から照明する構成としたので、その角度に応じた様々な印象を被写体に与えることができる。
【００５４】
本発明によれば、複数の角度から前記被写体を前方から照明する構成としたので、被写体に影が生じないようにすることができ、人物を撮影する場合には、シワなどを目立ちにくくすることができる。
【００５５】
本発明によれば、撮影領域を形成する撮影ボックスの前方に撮影手段を、撮影ボックスの側部後方に撮影ボックスへの出入口を備え、撮影ボックスの前方から出入口までを覆うように照明手段を配置する構成としたので、光に囲まれた空間で撮影するという、従来と全く異なった印象を利用者に与えることができる。したがって、利用者が撮影ボックスに入った場合、空間全体が明るいために、利用者の気持ちが高揚して、自然と豊かな表情、明るい表情になることが期待され、その表情を撮影することができる。
【００５６】
本発明によれば、底面からの高さに応じてその幅が設定されたカーテンで、撮影ボックスへの出入口の所定領域を遮蔽する構成としたので、出入口を通じて撮影ボックスの外側（例えば出入口付近にいる人物の脚）が撮影されることがなくなるとともに、外光が直接的に撮影手段に入光することがなく、外光の撮影画像への影響を少なくすることができる。さらに、所定領域でない領域を通じて撮影ボックスの内側の様子が外側からわかるので防犯性に優れる。
【００５７】
本発明によれば、撮影ボックスの外側にて対価を受領する構成としたので、従来のように撮影ボックスの内側に対価受領手段を設ける必要がなくなり、その箇所をも被写体を照明する照明手段を配置することができ、さらに明るい印象の撮影ボックスとすることができる。
【００５８】
本発明によれば、受領した対価を蓄蔵する対価蓄蔵部を撮影ボックスの外側からの着脱が可能なようにして設ける構成としたので、対価蓄蔵部に蓄蔵した対価を撮影ボックスの外側から取り出せることができる。したがって、窃盗者が、利用者を装って撮影ボックスに入り、対価蓄蔵部を盗難することを防止することができ、また、装置管理者は、撮影ボックスに入室することなく、つまり撮影中の利用者に関係なく、対価蓄蔵部を取り出して、対価を回収することができる。
【００５９】
本発明によれば、撮影した被写体の画像をリアルタイムに表示するとともに、各種の撮影操作を受け付けるタッチパネル型の表示手段を備える構成としたので、照明手段を配置する領域をさらに広くして、さらに明るい印象の撮影ボックスとすることができる。
【００６０】
本発明によれば、撮影ボックスの後方を照明する構成としたので、被写体の後方に生じる各照明による被写体の影を消し去って、被写体の影が撮影されることを防止することができる。
【００６１】
本発明によれば、撮影ボックスの状態を報知する構成としたので、撮影ボックスの利用状況、つまり撮影ボックスが使用されていることが外から容易に認識できる。したがって、例えば、撮影ボックスが利用されているにもかかわらず、次の利用者が誤って対価を投入して、撮影の権利が誰に帰属するものであるかについてトラブルになることはない等、優れた効果を奏する。
【発明を実施するための最良の形態】
【００６２】
以下、本発明をその実施の形態を示す図面に基づいて詳述する。
【００６３】
図１は本発明に係る写真撮影装置の全体構成を示す斜視図、図２は本発明に係る写真撮影装置の側断面図であり、図３は本発明に係る写真撮影装置の上断面図である。
本発明に係る写真撮影装置１は、正面、側面及び内部に各種機器が設けられた筐体２、バックユニット３及びサイドカーテン４を備えており、筐体２、バックユニット３及びサイドカーテン４で囲まれた空間が撮影領域を形成する撮影空間（撮影ボックス）８として機能する。なお、撮影空間８への出入口は１箇所だけでもよく、一方の側面（左側面）にサイドカーテンを設け、他方の側面（右側面）にパネルのような遮光板を設けるようにしてもよい。つまり、写真撮影装置を配備する店舗のレイアウトなどによって、いずれの側面を出入口に利用してもよい構成となっている。
【００６４】
筐体２の正面には、図４に示すように、カメラ２１及びライブモニタ２２が上下方向に可動できるように設けられている。カメラ２１は、後述するコンピュータ装置によってシャッタスピード、絞り値、露出補正、ホワイトバランスなどが適宜設定され、被写体を撮影して動画像及び静止画像を得る。利用者がシャッタボタンを押下、又はプログラムによる適宜なタイミングで、カメラ２１のシャッタ動作が行われると、そのタイミングで静止画像が取得される。この静止画像は後述する編集対象の画像となる。ライブモニタ２２は、タッチパネルを積層し、入力操作を受け付ける操作部を兼ねる形態としておく。つまり、カメラ２１にて撮影された各種画像をリアルタイムで表示したり、デモンストレーション画面及び撮影の操作手順などを表示するとともに、各種の入力を利用者から受け付ける。従来、ライブモニタと操作部とが別体で設けられていたが、本例のように、ライブモニタと操作部とが兼用する形態とすることで、光照射面でない部分の面積を小さくすることができ、つまり、光照射面を大きくすることができるので、より撮影空間８内を明るく保つことができる。
【００６５】
カメラ２１及びライブモニタ２２の可動領域を除く筐体２の内側表面には、照明部２３ａ，２３ｂ，２４，２５ａ，２５ｂ，２６ａ，２６ｂ，２７ａ，２７ｂが配設されている。各照明部は、内部に、発光体である白熱球、蛍光管などの常灯照明と、ストロボ球などの閃光照明とを備える照明ボックスで形成されている。上述した発光体は、適宜発光して、光を拡散する効果のある乳白色のアクリル板などの光照射面から光を出射して、被写体９及び撮影空間８を照明する。照明ボックスは、発光体の光利用効率を高めるために、内部を白色に塗装したり、内部に反射板を設けたりすることによって反射効率を向上させておくことが好ましい。
【００６６】
筐体２に配備される照明部２３ａ，２３ｂは、その光出射方向が交差するように配置されており、被写体９を正面上方及び正面下方から照明する前方照明手段として機能する。上述のように、被写体９を正面上方及び正面下方から照明することで、撮影した画像を柔らかい色合いとすることができる。また、後述するように、カメラ２１及びライブカメラ２２の可動領域を除く筐体２の内側表面全面（一帯）を、光出射面とすることによって、撮影空間８内を明るく保つことができる。
【００６７】
撮影空間８の天井面に配備される照明部２４は、被写体９を天井（上方）から照明するものであり、上方照明手段として機能し、照明部２３ａ，２５ａ，２５ｂ，２６ａ，２６ｂと連なって（又は接して）配置される。
【００６８】
照明部２５ａ，２５ｂは、それぞれ照明部２３ａ，２３ｂの側方に、照明部２３ａ、２３ｂと連なって（又は接して）、カメラ２１の配備される面に対して鈍角で配置される。さらに、撮影空間８の側方の面に配備される照明部２６ａ，２６ｂは、照明部２５ａ，２５ｂと連なって（又は接して）配置され、被写体９を撮影空間８の側方から照明する。
【００６９】
また、照明部２６ａ，２６ｂは、照明部２５ａ，２５ｂとは撮影方向に対して異なる角度で異なる方向を向くように配置されている。このように、複数の角度から被写体９を照明することで、被写体９に影が生じないようにすることができ、人物を撮影する場合には、シワなどを目立ちにくくする効果もある。
【００７０】
上述したように、照明部２５ａ，２５ｂ，２６ａ，２６ｂは、側方照明手段として機能するものであり、かつ、撮影空間８の側方外部からの外光を遮蔽、すなわち、被写体９の側方への外光を遮蔽する遮蔽部としても機能する。照明部２５ａ，２５ｂ，２６ａ，２６ｂは、前方照明手段である照明部２３ａ，２３ｂを囲うように撮影空間８の両側面に配置されており、撮影空間８の側面の底部から天井部に至るまでの全面を光照射面とすることによって、撮影空間８内の広範囲の面が光照射面となるため、撮影空間８内を明るく保つことができる。さらに、照明部２５ａ，２５ｂ，２６ａ，２６ｂは、上方の照明部２４と連なって（又は接して）配置されているため、被写体９に光に包まれたような印象を与えることができる。
【００７１】
なお、遮蔽部と側方照明手段とは必ずしも一体的になっていなくともよく、撮影ボックスの側面の外側に遮蔽部と撮影ボックスの側面の内側に側方照明手段とが配備されていれば同一の効果を奏する。より具体的には、光を吸収するパネルを遮蔽部として設け、そのパネルに一又は複数の照明部（例えば、照明部２５ａ，２５ｂ，２６ａ，２６ｂ）を設けるようにしてもよく、この場合には、パネルによって外光の撮影空間８への入光を遮蔽するとともに、非発光体であるパネルに照明部を設けることで被写体９を側方から照明することができる。これにより、従来は、サイドカーテン及び出入口などが設けられている撮影空間８内の側方から、被写体９と撮影空間８とを明るく照らすとともに、外光の撮影空間８への入光を遮蔽することができる。
【００７２】
また、図示の具体例では、照明部２６ａ，２６ｂは、照明部２５ａ、２５ｂとは撮影方向に対して異なる角度で異なる方向を向くように配置されているが、同一角度となるように配置されていてもよく、光で囲まれたような印象を被写体９に与えることができればよい。また、照明部２５ａと照明部２６ａとが、又は、照明部２５ｂと照明部２６ｂとが一体的（つまり、同じ光源を利用する）に形成されていてもよい。
【００７３】
さらに、照明部２６ａ，２６ｂの出射角度を撮影空間８の前方からの距離に応じて設定されているようにしてもよく、例えば、出射方向が常に被写体の中心となるように、照明部２６ａ，２６ｂを周形状にすることで、被写体９に光に包まれたような印象を与えることができる。
【００７４】
さらにまた、カメラ２１と正対する位置から見ると（図４参照）、照明部２６ａ，２４，２６ｂによって形成される形状が、“コの字”状になっているが、照明部２６ａ，２４，２６ｂがドーム状の形状を形成されていてもよく、各照明部の形状、各照明部によって形成された撮影空間の形状については、これに限定されるものではない。
【００７５】
照明部２７ａ，２７ｂは、被写体９より後方を照明するものであり、この照明部２７ａ，２７ｂからの照明は被写体９の後方に配置される背景部３１を照明し、筐体２に設けた各照明部による被写体９の陰影を消し去って、背景部３１に投影されることを防止する。背景部３１は、クロマキー合成に利用されることがあるため、被写体９の陰影によって色合いが変化して合成に不具合が生じることを防止できる。また、照明部２７ａ，２７ｂを照明部２６ａ，２６ｂと一体的（つまり、同じ光源を利用する）に設けてもよく、その場合には、背景部３１用の照明部をわざわざ配備しなくてもよいため、低コスト化を図れる。
【００７６】
また、上述した各照明部２３ａ，２３ｂ，２４，２５ａ，２５ｂ，２６ａ，２６ｂ，２７ａ，２７ｂは、連なって（又は接して）配置されており、撮影空間８内に臨む面の広範囲が光照射面となる。さらに、各照明部は、前面、上面、側面などの多方向から光照射面を撮影空間８の中央付近に向け、また後方にも光照射面が向いているため、撮影空間８を明るく保つことができるとともに、利用者に光で包まれたような印象を抱かせることができる。
【００７７】
さらに、各照明部は一体的に配備されていてもよいし、各々が組合わされて配備されていてもよい。一体的に配備される照明部の組合せもどのような形態をとっても構わないが、各々が連なって（又は接して）配備されることが好ましい。つまり、各照明部が複数の照明ユニット（ブロック）から構成され、写真撮影装置を店舗に設置する場合に、各照明ユニットを組合わされることで照明部を形成するようにしてもよい。特に、各照明部が大きい場合、運搬及び組立の作業が困難となるが、照明ユニットに分割して運搬し、設置すべき店舗にて組立てるようにすることで、運搬及び組立の作業効率を向上することができる。また、照明部に収めた発光体を取り替える場合、サイズの大きな照明部単位で作業を行うのではなく、より小さなサイズの照明ユニット単位で作業を行うことで、このメンテナンス作業の効率を向上することができる。
【００７８】
背景部３１は、例えば、巻き上げ式のロールカーテンなどであり、被写体９である利用者がライブモニタ２２（ここでは、タッチパネル機能を利用する）を操作することによって、モータにより駆動されて自動的にセットされる。もちろん、利用者の手動操作によりセットされてもよい。また、撮影空間８内には、図示しない撮影側スピーカが配置されており、ＢＧＭ及び操作方法の説明などを音声で出力するようにしてある。
【００７９】
撮影空間８の側部後方には、被写体９が撮影空間８に出入するための出入口４１が設けられており、出入口４１には、その所定領域を遮蔽するサイドカーテン４設けられている。サイドカーテン４は、撮影空間８の外部がカメラ２１にて撮影されないとともに、撮影空間８の内側の様子が外側からわかるように、出入口４１の開口部とサイドカーテン４との間に間隙が生じるよう、台形状にしてある。出入口４１を撮影空間８の側部後方に設けることによって、外光が出入口４１から撮影空間８へ入光された場合であっても、カメラ２１との距離が従来の装置に比べて長くなるため、外光の影響を抑制して、より美しい撮影画像を撮影するができる。
【００８０】
筐体２の外側面（例えば、撮影空間の外側面）には、撮影された撮影画像を表示するとともに、利用者による編集を受け付ける複数の画面からなるタブレットディスプレイ６１と、利用者からの編集の入力を行なうための複数のタッチペン６２ａ，６２ｂと、利用者に対してＢＧＭ及び操作方法の説明などを音声で出力する編集側スピーカ６３ａ，６３ｂとからなる編集用ユニット６が設けられている。
【００８１】
タッチペン６２ａ，６２ｂは、ペン形状の入力装置であって、タブレットディスプレイ６１にタッチすることで、背景、スタンプ、フレーム等の画像及び文字の入力、使用する項目（ボタン）の選択、並びに操作の選択などを入力することができる。より具体的には、図５に示すような編集画面において編集プレイを行なうことができる。編集画面は複数の画面で構成され、複数の利用者がそれぞれ専用のタッチペン６２ａ，６２ｂで同時に編集することができるようになっており、カメラ２１によって撮影された撮影画像をタブレットディスプレイ６１に表示するとともに、撮影画像と、いわゆる「お絵描き」、「落書き」などと呼ばれる編集プレイにより入力を受け付けた編集画像とを合成する。もちろん、編集画面は単数で構成されていてもよい。編集制限時間は利用者にわかりやすいように、タブレットディスプレイ６１の編集画面上に残り時間を表示し、カウントダウンを行なう。
【００８２】
また、筐体２の内部には、編集された画像を紙、シール、金属、又はプラスチックなどの印刷媒体に印刷するための図示しないプリンタ（６５）が備えられている。プリンタは、昇華型プリンタ、サーモオートクローム方式（光定着型直接感熱印刷方式）などのプリンタが一般的に用いられる。なお、以下、プリンタによってシールが印刷されるものとして説明を行なうが、印刷媒体はシールに限定されず、上述した他の印刷媒体であってもよい。また、化学反応を利用した写真プリントであってもよい。
【００８３】
編集用ユニット６の下部にはプリント取出口６４が備えられ、プリンタによって印刷されたシールがプリント取出口６４から出力される。なお、印刷時には「シールを印刷中です」の表示が、エラー発生時に「用紙切れ」,「インク切れ」,「用紙詰り」などの表示がタブレットディスプレイ６１に適宜なされ、利用者に報知される。もちろん、プリント取出口６４付近に、プリンタの状態を表示するための表示部を設け、その表示部にプリンタの状態を表示して利用者に報知するようにしてもよい。
【００８４】
また、筐体２の外側面には、撮影の対価であるコインを投入するためのコイン投入口５２、コイン排出口５３などが設けられたコインユニット５が設けられている。コインユニット５の内部には後述する金庫が収納されており、コイン投入口５２から投入されたコインが蓄蔵される。また、コインユニット５の表面にはメンテナンスドア５４が設けられており、このメンテナンスドア５４から金庫に蓄蔵されたコインを取り出すことができる。
【００８５】
コインユニットの上方には、撮影空間８の状態を報知する表示部５１が設けられている。表示部５１は、撮影空間８が利用されている場合、つまり利用者が撮影を行っている場合は、「撮影中です」の表示を行ない、撮影空間８が利用されていない場合、つまり利用者が撮影を行っていない場合は、「撮影できるよ」,「代金（４００円）を入れてね」などの表示を行って、撮影空間８の状態を第３者（順番待ちしている使用予定者，通行人など）などに報知する。これにより、利用者が誤って代金を投入して、撮影の権利が誰に帰属するものであるかについてトラブルになることを抑制できる。
【００８６】
表示部５１には、写真撮影装置１の商品名、ロゴなどを表示して本写真撮影装置をアピールしたり、また、ミニゲームを使用予定者などに提供して、待ち時間を活用するようにしてもよい。後者の場合、ミニゲームで利用者が勝利した場合に撮影回数を追加することとすれば、遊戯性がさらに高まり、顧客満足度を向上させることができる。もちろん、ミニゲームに限定されず、写真撮影装置の操作方法を表示したり、占いを行なうようにしたりしてもよく、表示部５１の活用について限定されるものではない。
【００８７】
図６はカメラ及びライブモニタの可動の様子を説明するための説明図である。
カメラ２１及びライブモニタ２２は、筐体２の前方に設けた溝２０に沿って上下方向に可動できるように設けられており、上方向に移動した場合にはカメラ２１の撮影方向が下向きに、下方向に移動した場合にはカメラ２１の撮影方向が上向きになるようにしてある。つまり、本例のように、被写体の撮影対象が利用者自身である場合、利用者の顔が中心となるように、カメラの撮影方向が自動的に変更されるようにすることが好ましい。また、本発明の主旨の１つは、被写体９に光に包まれたような印象を与えることにあり、カメラ２１及びライブモニタ２２の可動に影響のない程度であれば、溝２０に照明部を設けて、さらに撮影空間８の照度を高めるようにしてもよい。
【００８８】
例えば、図７に示すように、カメラ２１の床面からの高さをＹ、床面に対する撮影方向の角度をθ（図７（ａ））とすれば、角度θが高さＹに対して一意に決定される関数θ＝Ｆ（Ｙ）となるように、カメラ２１の撮影方向を制御することが好ましい（図７（ｂ））。ここで、被写体の顔の中心の高さＹ0 のときに角度θが０度となるように設定しておく。なお、図８に示すように、複数のカメラ（ここでは、２つのカメラ２１ａ，２１ｂ）を所定の位置に固定しておくようにしてもよい。そのときは、それぞれのカメラ２１ａ，２１ｂの床面からの高さに基づいて、上述の関数θ＝Ｆ（Ｙ）から、各カメラの撮影方向を決定することが好ましい。また、下側に設けたカメラ２１ｂを、撮影範囲が広くなるような角度θで設置し、カメラ２１ｂと上側に設けたカメラ２１ａとが、それぞれ異なる撮影範囲を撮影できるようにしてもよい。例えば、カメラ２１ａ，カメラ２１ｂを、それぞれ近距離撮影，遠距離撮影に用いることで、より多様な撮影画像を利用者に提供することができる。
【００８９】
上述したように、本発明に係る写真撮影装置１は、筐体２の前方から撮影空間８への出入口４１までの内壁に被写体９及び撮影空間８を照明させる照明部２３ａ，２３ｂ，２４，２５ａ，２５ｂ，２６ａ，２６ｂ，２７ａ，２７ｂを備えることによって、筐体全体が１つの照明部として機能する。このため、「光に囲まれた空間（部屋）で撮影する」という、従来と全く異なった印象（イメージ）を利用者に与えることができる。
【００９０】
ところで、本発明では、従来よりも出入口がカメラ２１から遠ざかることになるので、図９の側面図（ａ）及び上面図（ｂ）に示すように、サイドカーテン１０４を出入口の上半分を遮蔽するようにした場合、カメラ２１の撮影範囲が撮影空間８の外側領域に及ぶ虞があり、その場合には、図１０に示すように、撮影空間８の外側の像１０５が画像に写り込んでしまう。
【００９１】
そこで、図１１の側面図（ａ）及び上面図（ｂ）に示すように、底面からの高さに応じて、その幅が設定されたサイドカーテン４を用いて、サイドカーテン４でカメラ２１の撮影範囲内から撮影空間８の外側を遮蔽することができ、図１２に示すような外側の像が画像に写り込まない美しい撮影画像を取得することができるとともに、撮影空間８の内側の様子を外側から確認することができるので防犯性に優れる。また、正規のプレイを行なわない人間が撮影空間内に入って写真撮影装置１を占拠し、本来の顧客がプレイできずに顧客回転率が低下することを防止できる。
【００９２】
なお、サイドカーテン４は、カメラ２１の撮影範囲内から撮影空間８の外側を遮蔽できるものであれば、その形状が限定されるものではなく、例えば、図１３に示すように、出入口の上半分を遮蔽し、下半分のうちのバックユニット３側の領域を遮蔽するような形状であってもよい。従来、出入口が装置側面の中央付近にあったため、出入口がカメラ２１で撮影されることはなかったが、出入口をバックユニット３側に設けることによって、出入口がカメラ２１で撮影されてしまう。
【００９３】
そこで、カメラ２１の撮影範囲Ｚをサイドカーテン４で遮蔽することで、撮影空間８の外側の像が画像に写り込んでしまうことを防止できる。さらに、背景部３１とサイドカーテン４とが撮影時の背景となることから、サイドカーテン４の撮影空間側の面にデザインを適宜施すことが好ましい。もちろん、サイドカーテン４を背景部３１と同様にクロマキー合成に利用できるように、その撮影空間側の面を背景部３１と同色にしておいてもよい。また、撮影空間８内の床面部分であっても、撮影範囲Ｚに入ってしまう部分を、背景部３１と同色又は特定の一色にしておくことがより好ましい。
【００９４】
また、図１４に示すように、メンテナンスドアキー５６を用いてメンテナンスドア５４を開けることにより、金庫５５にアクセスすることができる（図１４（ａ））。そして、金庫ドアキー５７を用いて金庫扉ドアを開け（図１４（ｂ））、さらに金庫キー５８を用いて金庫ボックス５９のロックを解除し、金庫ボックス５９を引き出す（図１４（ｃ））。これにより、撮影空間８の外部から金庫５５（金庫ボックス５９）に蓄蔵されたコインを取り出すことができる。もちろん、図１５に示すように、メンテナンスドアキー５６を用いてメンテナンスドア５４を開けた後（図１５（ａ））、金庫キー５８を用いて金庫ボックス５９のロックを解除し、金庫ボックス５９を引き出し（図１５（ｂ））、蓄蔵されたコインを取り出すようにしてもよい。
【００９５】
このように、金庫５５（金庫ボックス５９）は撮影空間８の外側から取り出すようになっているので、窃盗者が、利用者を装って撮影空間８に入り、金庫５５（金庫ボックス５９）自体や金庫５５（金庫ボックス５９）に蓄蔵されたコインを盗難することを防止することができる。また、装置管理者は、撮影空間８に入室することなく、つまり撮影中の利用者に関係なく、金庫５５（金庫ボックス５９）からコインを取り出すことができる。
【００９６】
図１６は本発明に係る写真撮影装置の構成の一例を示すブロック図である。
本実施の形態に係る写真撮影装置１はコンピュータ装置７０を備えている。コンピュータ装置７０は、カメラ２１、ライブモニタ２２、タブレットディスプレイ６１、プリンタ６５及び制御部７１などと接続されている。
【００９７】
また、写真撮影装置１は、外部電源（商用交流電源など）から電力の供給を入断する電源スイッチ８１と、写真撮影装置１の各種機器へ電力を供給する電源制御部８２とを備えており、電源制御部８２は、外部から入力される電圧を各種機器に必要な電圧に変換するとともに、安定して各種機器へ電力を供給するための制御を行なう。
【００９８】
さらに、電源制御部８２とコンピュータ装置７０との間には、無停電電源装置（以下、ＵＰＳ（Uninterrupted Power Supply）という）８３が設けられている。ＵＰＳ８３は、外部電源からの電力供給が停電などによって突発的に切断された場合においても、内蔵しているバッテリにより電力をコンピュータ装置７０へ安定的に供給する。つまり、外部電源が停電により切断された場合、しばらくはＵＰＳ８３が電源をバックアップし、コンピュータ装置７０に停電信号を送信する。その間に、コンピュータ装置７０はコンピュータプログラム（以下、プログラムという）の終了の手続きを行ない、プログラムを正常終了させる。従って、外部電源が切断された場合であっても、プログラムが異常終了することがなくなるため、故障などの不具合の発生を防止できる。なお、電源を必要とする各種機器へ、ＵＰＳ８３から電力が供給されるようにしてもよい。
【００９９】
コンピュータ装置７０は、ＣＰＵ７０ａ、メモリ７０ｂ及び記憶部７０ｃなどで構成されており、記憶部７０ｃには、写真撮影装置１の動作に必要な種々のプログラム及び各種データが格納されている。具体的には、上述した各種機器を動作させ、カメラ２１を用いて撮影するための撮影処理プログラム、利用者にて入力を受け付けて撮影画像を編集するための編集処理プログラム、プログラムの実行に必要なグラフィックデータ及び音声データ、並びに、カメラ２１が撮影した画像（撮影画像）、編集画像及びその他の各種画像、また、カメラ２１、プリンタ６５、タブレットディスプレイ６１などの周辺機器を制御するデバイスドライバが記憶されている。ＣＰＵ７０ａは、記憶部７０ｃに格納されたプログラムに従って種々の機能を実行し、メモリ７０ｂは、ＣＰＵ７０ａによるプログラムの実行時に発生する一時的なデータを記憶する作業領域として利用される。
【０１００】
電源スイッチ８１が押下されて写真撮影装置１に電力が供給されると、コンピュータ装置７０は、上述したプログラムを起動して、カメラ２１、ライブモニタ２２、タブレットディスプレイ６１、プリンタ６５を制御する。例えば、コンピュータ装置７０は、カメラ２１の撮影タイミングの制御、及びカメラ２１の設定項目（例えばシャッタスピード、絞り値、露出補正、ホワイトバランスなど）の変更を指示する。
【０１０１】
カメラ２１は、広く利用されているデジタルカメラであり、被写体である利用者をリアルタイムに撮影し、撮影した映像はライブモニタ２２にリアルタイムで表示される。また、カメラ２１は、利用者がシャッタボタン（不図示）を押下した場合に、被写体である利用者の静止画像（撮影画像）を撮影して、記憶部７０ｃに記憶する。なお、一般に、シャッタボタンが押下されてからカウントダウンが行われ、その間に、利用者は所定の位置で撮影ポーズを決め、カウントが「０」になった時点で撮影が行われる。
【０１０２】
コンピュータ装置７０は、記憶部７０ｃに記憶された撮影画像を読み出してタブレットディスプレイ６１に表示するとともに、撮影画像と、いわゆる「お絵描き」、「落書き」などと呼ばれる編集プレイにより入力を受け付けた編集画像とを合成する合成手段として機能し、合成した合成画像を記憶部７０ｃに記憶する。
【０１０３】
プリンタ６５は、合成した画像（単に撮影画像としてもよい）を紙、シール、金属又はプラスチックなどの印刷媒体６６に印刷するための機器であって、昇華型プリンタ、サーモオートクローム方式（光定着型直接感熱印刷方式）等のプリンタが一般的に用いられる。以下、プリンタ６５によって画像がシールに印刷されるものとして説明を行なうが、印刷媒体６６はシールに限定されず、上述したような他の印刷媒体であってもよい。
【０１０４】
また、コンピュータ装置７０は、プログラムの実行、並びに、タッチパネルとして機能するライブモニタ２２及びタブレットディスプレイ６１で受け付けた利用者の入力に基づいて、制御部７１に対して制御信号（指示コマンドなど）を送信する。
【０１０５】
制御部７１は、コンピュータ装置７０及び電源制御部８２の他に、フラッシュ制御部７４、スピーカ（撮影側スピーカ、編集側スピーカ６３ａ，６３ｂ）、サービスパネル７２、コイン制御部７３、背景部３１、及び表示部５１と接続されており、コンピュータ装置７０から送信された制御信号に基づいて、接続されている各種機器を制御する。
【０１０６】
フラッシュ制御部７４は、カメラ２１及びフラッシュ７５に接続され、カメラ２１のシャッタタイミングに応じた同期信号を受け付け、同期信号に同期してフラッシュ７５を発光させる。また、フラッシュ制御部７４はフラッシュ７５の発光強度の設定を行なう。また、フラッシュ７５が複数ある場合には、発光させるフラッシュ７５を適宜選択するようにして、照明部２３ａ，２３ｂ，２４，２５ａ，２５ｂ，２６ａ，２６ｂ，２７ａ，２７ｂなどの各照明部の照度などを設定するようにしてもよい。
【０１０７】
撮影側スピーカ、編集側スピーカ６３ａ，６３ｂは、制御部７１を介して、コンピュータ装置７０から送信された制御信号を受け付け、それぞれ写真撮影装置１の撮影プレイ、編集プレイにおける操作などの案内及びＢＧＭなどを出力する。
【０１０８】
サービスパネル７２は、投入されたコインの枚数をカウントするコインカウンタ、印刷されたプリントの枚数をカウントするプリントカウンタ、撮影側スピーカ、編集側スピーカ６３ａ，６３ｂから出力する音声のボリュームを調整する音量調整つまみ、テストモードを行なうためのテストボタン、及びコインを投入しなくても装置が利用できるようにするためのサービスボタン等を備えるパネルであって、写真撮影装置１の設置者（店舗運営者）が各種設定やメンテナンスの操作を行なう際に用いられる。
【０１０９】
コイン制御部７３は、コイン投入口５２に投入されたコインの正当性を検出し、コインが投入された場合、コインが投入されたことを示す通知信号を制御部７１へ送信する。また、制御部７１は、コンピュータ装置７０から受信した制御信号に従って、コイン制御部７３に対して制御信号を送信する。コイン制御部７３は、制御部７１からの制御信号に基づいて、コイン投入口５２をブロックしてコインの投入を防止したり、投入されたコインをコイン排出口５３に排出するようにして、コインの投入を受け付けないようにして、例えば、プレイ中にコインが投入されるのを防止することができる。
【０１１０】
プリンタ６５は、用紙切れなどの各状態をコンピュータ装置７０に通知し、コンピュータ装置７０は、各状態に応じた制御信号をタブレットディスプレイ６１へ送信することによって、タブレットディスプレイ６１に表示して、利用者に報知するようにしてもよい。
【０１１１】
また、コンピュータ装置７０は、タッチパネルと機能するライブモニタ２２に対して利用者が所望の背景を選択する入力操作に従った指示信号を受信し、指示信号に従って背景部３１の背景カーテン（ロールスクリーン）を駆動するモータの動作を制御する。このようにモータの動作を制御することによって、利用者が選択した背景カーテンが自動的にセットされる。
【０１１２】
さらに、コンピュータ装置７０は、撮影処理プログラムの稼動状況に基づいて撮影空間８の使用状況を判断し、判断信号を生成して制御部７１に送信する。制御部７１は、判断信号に応じて、表示部５１に表示する内容に係る信号を生成して表示部５１に出力する。例えば、撮影空間８が使用されている場合、「撮影中です」の表示を行ない、撮影空間８が使用されていない場合、「撮影できるよ」,「代金（４００円）を入れてね」などの表示を行って、撮影空間８の状態を第３者（順番待ちしている使用予定者，通行人など）などに報知する。
【０１１３】
なお、コンピュータ装置７０に接続される構成要素は上述した形態に限定されず、機能又は位置毎に分かれていてもよい。さらに、コンピュータ装置７０は本実施形態のように１台で構成されていなくてもよく、撮影処理用及び編集処理用のように、２台以上で構成されてもよい。また、写真撮影装置の形態は、図示した具体例に限定されるものではない。すなわち、図示されない他の機能が備えられていてもよいし、図示されている機能の必ずしもすべてが備えられていなくても構わない。例えば、プリンタ６５は写真撮影装置本体に含まれていなくてもよく、その場合、写真撮影装置は、ＬＡＮ等の専用回線や無線通信等を介して印刷制御信号をプリンタ６５に出力すればよい。
【０１１４】
なお、本実施の形態における写真撮影装置１は撮影空間と編集空間とが別になっているが、同一の空間において行なわれてもよい。また、複数の撮影空間及び／又は複数の編集空間を備えた写真撮影装置であってもよい。
【０１１５】
また、実施の形態は、すべての点で例示であって制限的なものではないと考えられるべきである。本発明の範囲は上述の説明ではなくて特許請求の範囲によって示され、特許請求の範囲と均等の意味及び範囲内でのすべての変更が含まれることが意図される。
【図面の簡単な説明】
【０１１６】
【図１】本発明に係る写真撮影装置の全体構成を示す斜視図である。
【図２】本発明に係る写真撮影装置の側断面図である。
【図３】本発明に係る写真撮影装置の上断面図である。
【図４】写真撮影装置の筐体の図である。
【図５】編集画面を示す図である。
【図６】カメラ及びライブモニタの可動の様子を説明するための説明図である。
【図７】カメラの床面からの高さと、床面に対する撮影方向の角度との関係を示すグラフである。
【図８】カメラ及びライブモニタの別の一例を説明するための説明図である。
【図９】サイドカーテンを出入口の上半分を遮蔽するようにした場合の写真撮影装置の一例を示す図である。
【図１０】図９の写真撮影装置によって撮影された写真の一例を示す図である。
【図１１】本発明に係るサイドカーテンを用いた場合の写真撮影装置の一例を示す図である。
【図１２】図１１の写真撮影装置によって撮影された写真の一例を示す図である。
【図１３】本発明に係るサイドカーテンの別の一例を用いた場合の写真撮影装置の一例を示す図である。
【図１４】蓄蔵されたコインの取り出し方法を説明するための説明図である。
【図１５】蓄蔵されたコインの別の取り出し方法を説明するための説明図である。
【図１６】本発明に係る写真撮影装置の構成の一例を示すブロック図である。
【図１７】従来の写真撮影装置の上断面図である。
【符号の説明】
【０１１７】
１  写真撮影装置
２  筐体
３  バックユニット
４  サイドカーテン
８  撮影空間
９  被写体
２１  カメラ
２２  ライブモニタ
２３ａ，２３ｂ，２４，２５ａ，２５ｂ，２６ａ，２６ｂ，２７ａ，２７ｂ  照明部
３１  背景部
４１  出入口
５１  表示部
５２  コイン投入口
５３  コイン排出口
５４  メンテナンスドア
５５  金庫
５９  金庫ボックス
６１  タブレットディスプレイ
６２ａ，６２ｂ  タッチペン
６５  プリンタ
６６  印刷媒体
７０  コンピュータ装置
７１  制御部
７２  サービスパネル
７３  コイン制御部
７４  フラッシュ制御部
７５  フラッシュ
８１  電源スイッチ
８２  電源制御部
【図１】
2006201623.tif 000003
【図２】
2006201623.tif 000004
【図３】
2006201623.tif 000005
【図４】
2006201623.tif 000006
【図５】
2006201623.tif 000007
【図６】
2006201623.tif 000008
【図７】
2006201623.tif 000009
【図８】
2006201623.tif 000010
【図９】
2006201623.tif 000011
【図１０】
2006201623.tif 000012
【図１１】
2006201623.tif 000013
【図１２】
2006201623.tif 000014
【図１３】
2006201623.tif 000015
【図１４】
2006201623.tif 000016
【図１５】
2006201623.tif 000017
【図１６】
2006201623.tif 000018
【図１７】
2006201623.tif 000019